(57)【特許請求の範囲】
【請求項１】
ワイヤレスコミュニケーションシステム中、セルアップデート手続き期間で、モバイル機器のバッテリー電力を節電する方法であって、前記モバイル機器は複数のタイマーを使用して、内部の操作を監視すると共に、第一タイマーと第二タイマーがどちらも期限切れの時、アイドルモードに進み、前記方法は、
受信端で、
前記モバイル機器がＣＥＬＬ＿ＤＣＨ状態下で無線リンク失敗、または無線リンク制御回復不能エラーによるトリガイベントを起こしたか否かを決定する工程と、
前記トリガイベントが起こされた場合に、前記トリガイベントに対応して実行する下記のａ 〜 ｄ 工程、
ａ ．前記第一タイマーと前記第二タイマーの記憶値がいずれも０である場合、無線リソースを全て解放すると共に、前記アイドルモードに進む工程と、
ｂ ．前記第一タイマーと前記第二タイマーのうちいずれか一方の記憶値が０である場合、記憶値が０でない方のタイマーを第一タイマーと指定し、もう一つを第二タイマーと指定し、両方のタイマーの記憶値がいずれも０より大きい場合、無作為に一つのタイマーを第一タイマーに指定し、もう一つを第二タイマーに指定する工程と、
ｃ ． 前記第一タイマーと前記第二タイマーの記憶値がいずれも０より大きい場合に、
前記第一タイマーと前記第二タイマーが共にＲＡＢと関連する場合、両タイマーを起動する工程と、
前記第一タイマーは関連するＲＡＢを有さず、前記第二タイマーは少なくとも一つの関連するＲＡＢを有する場合、前記第二タイマーを起動する工程と、
前記第二タイマーは関連するＲＡＢを有さず、前記第一タイマーは少なくとも一つの関連するＲＡＢを有する場合、前記第一タイマーを起動する工程と、
前記第一タイマーと前記第二タイマーは関連するＲＡＢを有さない場合、ＲＲＣ接続が存在する時のみ使用されるタイマーを起動する工程と、
ｄ ．前記第一タイマーと前記第二タイマーのうちいずれか一方の記憶値が０である場合に、
前記第一タイマーが少なくとも一つの関連するＲＡＢを有し、前記第二タイマーは関連するＲＡＢを有さない場合、第一タイマーを起動する工程と、
前記第一タイマーと前記第二タイマーは関連するＲＡＢを有する場合、前記第二タイマーに関連する全ＲＡＢを解放し、前記第一タイマーを起動する工程と、
前記第一タイマーと前記第二タイマーは関連するＲＡＢを有さない場合、アイドルモードへの移行を可能とする対応動作をトリガーする工程と、
前記第一タイマーは関連するＲＡＢを有さず、前記第二タイマーは少なくとも一つの関連するＲＡＢを有する場合、前記第二タイマーに関連する全ＲＡＢを解放し、前記対応動作をトリガーする工程と、
を備えることを特徴とする方法。
【請求項２】
前記対応動作をトリガーする工程は、更に、前記第一タイマーを起動する工程を含むことを特徴とする請求項１に記載の方法。
【請求項３】
前記対応動作をトリガーする工程は、更に、
前記第二タイマーが、ＲＲＣ接続が存在する時のみ使用されるタイマーではない場合、前記第一タイマーを起動する工程と、
前記第二タイマーが、ＲＲＣ接続が存在する時のみ使用されるタイマーである場合、無線リソースをすべて解放する工程と、
アイドルモードに進む工程と、
を含むことを特徴とする請求項１に記載の方法。
【請求項４】
受信端であって、ワイヤレスコミュニケーションシステム中、セルアップデート手続き期間で、モバイル機器のバッテリー電力を節電し、前記モバイル機器は複数のタイマーを使用して、内部の操作を監視すると共に、第一タイマーと第二タイマーがどちらも期限切れの時、アイドルモードに進み、前記受信端は、
前記モバイル機器がＣＥＬＬ＿ＤＣＨ状態下で無線リンク失敗、または無線リンク制御回復不能エラーによるトリガイベントを起こしたか否かを決定する手段と、
前記トリガイベントが起こされた場合において、前記第一タイマーと前記第二タイマーの記憶値がいずれも０である場合、無線リソースを全て解放すると共に前記アイドルモードに進む手段と、
前記トリガイベントが起こされた場合において、前記第一タイマーと前記第二タイマーのうちいずれか一方の記憶値が０である場合、記憶値が０でない方のタイマーを第一タイマーと指定し、もう一つを第二タイマーと指定し、両方のタイマーの記憶値がいずれも０より大きい場合、無作為に一つのタイマーを第一タイマーに指定し、もう一つを第二タイマーに指定する手段と、
前記トリガイベントが起こされた場合において、前記第一タイマーと前記第二タイマーの記憶値がいずれも０より大きい場合に、前記第一タイマーと前記第二タイマーが共にＲＡＢと関連するときには両タイマーを起動し、前記第一タイマーは関連するＲＡＢを有さず前記第二タイマーは少なくとも一つの関連するＲＡＢを有するときには前記第二タイマーを起動し、前記第二タイマーは関連するＲＡＢを有さず前記第一タイマーは少なくとも一つの関連するＲＡＢを有するときには前記第一タイマーを起動し、前記第一タイマーと前記第二タイマーは関連するＲＡＢを有さないときにはＲＲＣ接続が存在する時のみ使用されるタイマーを起動する手段と、
前記トリガイベントが起こされた場合において、前記第一タイマーと前記第二タイマーのうちいずれか一方の記憶値が０である場合に、前記第一タイマーが少なくとも一つの関連するＲＡＢを有し前記第二タイマーは関連するＲＡＢを有さないときには第一タイマーを起動し、前記第一タイマーと前記第二タイマーは共に関連するＲＡＢを有するときには前記第二タイマーに関連する全ＲＡＢを解放して前記第一タイマーを起動し、前記第一タイマーと前記第二タイマーに関連するＲＡＢがないときにはアイドルモードへの移行を可能とする対応動作をトリガーし、前記第一タイマーは関連するＲＡＢを有さず前記第二タイマーは少なくとも一つの関連するＲＡＢを有するときには前記第二タイマーに関連する全ＲＡＢを解放して前記対応動作をトリガーする手段と、
を備えることを特徴とする受信端。
【請求項５】
前記対応動作をトリガーする手段は、更に、前記第一タイマーを起動する手段を含むことを特徴とする請求項４に記載の受信端。
【請求項６】
前記対応動作をトリガーする手段は、更に、
前記第二タイマーが、ＲＲＣ接続が存在する時のみ使用されるタイマーではない場合、前記第一タイマーを起動する手段と、
前記第二タイマーが、ＲＲＣ接続が存在する時のみ使用されるタイマーである場合、無線リソースをすべて解放すると共に、第一タイマーを起動する手段と、
無線リソースをすべて解放すると共に、アイドルモードに進む手段と、
を含むことを特徴とする請求項４に記載の受信端。
【発明の詳細な説明】
本請求は、米国特許出願番号No.６０／３７７５６７（２００２年５月３日）からの優先権を主張する。
【０００１】
【従来の技術】
一旦、モバイル機器（mobile device）が起動すれば、モバイル機器は、選択された公衆陸上移動ネットワーク（public land mobile network、PLMN）のセルを、検索、検出及び選択し、その制御チャネルに転向し、そのセルに留まる。モバイル機器が起動状態である限り、セルの選択と再選択は継続される。特に、モバイル機器がセル間で移動する時、必然的に、モバイル機器は、減衰したセル範囲との通信を切断し、新しく、適切なセルと新たに接続することで、好ましい信号品質を有することができる。
【０００２】
接続モード無線計測（connected mode radio measurement）とセル再選択基準（cell reselection criteria）に基づいて、モバイル機器のセル再選択工程は、更に適切なセルと相関する無線アクセス技術（radio  access  technology、RAT）を選択する工程を含む。モバイル機器が、例えば、URA＿PCH、CELL＿PCH、CELL＿FACH状態等のアイドルモード（idle mode）である時、セル再選択基準に従って、定期的にセル再選択工程を実行し、適切なセル（即ち、信号が強いセル）を検索し、そこに留まる。
【０００３】
図１は、接続モードのURA＿PCH、CELL＿PCH、CELL＿FATH状態時の、セル再選択工程の状態と手順を示す図である。モバイル機器が、ユニバーサル移動電話システム（Universal Mobile Telecommunications System、UMTS）地上無線接続方式（UMTS  Terrestrial Radio Access、UTRA）の無線リソース制御（Radio  Resource  Control、RRC）接続モード５であると仮定すると、セル再選択１０をトリガーする時、モバイル機器は、無線計測に基づいて、セル再選択基準を評価し始める。同じRATを使用した適切なセルが見つかった場合、その後、セルが選択される。モバイル装置はUTRA RRC接続モード５に戻る。セルの交換がRATの交換を含む場合、現存するRRC接続は解放され、モバイル機器は他のRAT２０のアイドルモードに進む。
【０００４】
セル再選択工程において、適切なセルが見つからない場合、モバイル機器は接続モード２５を離れる時、セル選択状態に進入し、最後に、アイドルモードに進む。同時に、無線リンク失敗（radio link failure）がトリガーされる時、モバイル機器は、最初のセル再選択工程１５をトリガーして、RRC接続の再構築を要求する。モバイル機器が一定期間内に適切なセルを捜すことが出来ない場合、モバイル機器は最終的には、アイドルモードに進む。適切なセルが見つかった場合、モバイル機器はUTRA RRC接続モード５に戻る。
【０００５】
一方で、モバイル機器が適切なUTRAセルを正確に選択した時、モバイル機器はセル選択工程を実行し、選択されたセルのアップリンク（Uplink）共通制御チャネル（Common Control Channel、CCCH）上でセルアップデート（CELL UPDATE）情報を送信する。
【０００６】
公知技術によると、二つのタイマーT３１４とT３１５は、接続モードのCELL＿DCH (Dedicated Channel) 状態において、無線リンク失敗工程、或いは、RLC回復不能エラー工程のどちらかを追跡するのに用いられる。タイマーT３１４とT３１５の値は、ネットワークにより、システム情報内に伝播され、全ての伝播タイマー値はモバイル機器に記憶される。信号情報を伝送するのに用いられる信号無線ベアラー（signaling radio access bearers、RAB）以外の全ての構築されたRABは、ネットワークにより、タイマーT３１４とT３１５のどちらかに関連を生じる。タイマーの値は、RABを用いるアプリケーション／サービスにより容認される中断期間の長さによって決まる。
【０００７】
信号RABのみが構築される状態が生じる時、つまり、RRC接続のみが存在する時、これらの信号RABは、タイマーT３１４とT３１５のどちらかと関連を生じる。無線リンク失敗が、モバイル機器が実体層から複数の連続した“同期外れ（out of sync）”信号の受信時に生じる時、モバイル機器はタイマーT３１３を起動する。モバイル機器がタイマーT３１３の期限切れ (expire) 前に実体層から“同期（in  sync）”信号を正確に受信する場合、モバイル機器はタイマーT３１３を終了すると共にリセットする。タイマーT３１３が期限切れの場合、モバイル機器はその後、“無線リンク失敗”状態に進入し、モバイル機器は専用実体チャネルの設定を解除し、セルアップデート手続き(procedure)を実行する。
【０００８】
一方、情報の再伝送時に生じるRLCの回復不能のエラーが最大再試行数を超過して、RLC回復不能エラー工程を引き起こす。無線リンク失敗がトリガーされる、或いは回復不能エラーが生じる時、タイマーT３１４とT３１５は同時に、或いはどちらか一つが、計数を開始する。両者が期限切れの時、モバイル機器はアイドルモードに進む。
【０００９】
しかし、公知技術によると、モバイル機器がCELL＿DCH状態において、無線リンク失敗、或いは、RLC回復不能エラーのせいで、セルアップデート手続きが初期化される時、公知のモバイル機器は、（１）タイマーT３１４と関連するRABが構築され、T３１４が記憶する値がゼロより大きい場合、タイマーT３１４を起動するか、或いは（２）タイマーT３１５と関連するRABが構築され、T３１５が記憶する値がゼロより大きい場合、タイマーT３１５を起動するか、或いは（３）タイマーT３１４と関連するRABが構築されず、タイマーT３１５に関連するRABが構築されない場合、つまり、信号無線ベアラーだけが構築され、タイマーT３１４が記録する値がゼロより大きい時、タイマーT３１４を起動する。
【００１０】
使用されるタイマーT３１４或いはT３１５が期限切れの時、モバイル機器はアイドルモードに進む。使用されるタイマーT３１４或いはT３１５が期限切れになる前、モバイル機器はセルアップデート手続きを実行し、失敗した無線リンク、或いは回復不能のRLC接続の再構築を試行する。この他、モバイル機器は、CELL＿DCH状態において、セルアップデート手続きを初期化し、記憶された二つのタイマーの値がゼロに等しい場合、セルアップデート手続きは全無線リソースを解放し、解放された接続とベアラーを上層に通知し、複数の変数を解除し、アイドルモードに進む。更に、記憶されたタイマーT３１４の値がゼロに等しい時、セルアップデート手続きは、T３１４に関連する全無線アクセスベアラーを解除する。同様に、タイマーT３１５が記憶する値がゼロに等しい時、T３１５に関連する全無線アクセスベアラーを解除する。
【００１１】
【発明が解決しようとする課題】
しかし、CELL＿DCH状態下のモバイル機器のセルアップデート実行期間に、無線リンク失敗、或いはRLC回復不能エラーが生じる場合、多くの未定義の、或いは、定義がはっきりしない状態が存在する。まず、タイマーT３１４がゼロより大きく（T３１４＞０）、関連しないRABが構築され、タイマーT３１５がゼロと等しく（T３１５＝０）、少なくとも一つの関連するRABが構築される。次に、タイマーT３１５がゼロより大きく（T３１５＞０）、関連しないRABが構築され、タイマーT３１４がゼロと等しく（T３１４＝０）、少なくとも一つの関連するRABが構築される。最後に、T３１５＞０で、関連しないRABが構築され、T３１４＝０で、関連しないRABが構築される。上述の三つの状況において、無線リンク失敗、或いはRLC回復不能エラーが生じる場合、タイマーT３１４或いはT３１５はどちらも起動しない。よって、モバイル機器が適切なセルを見つけられない場合、モバイル機器は、タイマーが期限切れの間、アイドルモードに進入させるタイマーが起動されないため、バッテリー電力が完全に消耗されるまで、好ましいセルを探しつづける。
【００１２】
その他のモード下で、セル再選択工程の要求は厳しくなり、セル再選択実行期間、モバイル機器はこれらのモード下で、更に頻繁に適切なセルを探し続け、更に大きい電力を消耗する。上述の状況が発生する期間、これらのモード下で、セル選択工程が実行され続けるのではなく、モバイル機器は、環境が節電されるように変化するまでアイドルモードに進めるようにする。
【００１３】
【発明の実施の形態】
本発明は、増強された工程を提供して、モバイル機器がCELL＿DCH状態下で、無線リンクのエラー、或いはRLC回復不能エラーの発生を処理する。
【００１４】
上述した本発明の目的、特徴、及び長所をいっそう明瞭にするため、以下に本発明の好ましい実施の形態を挙げ、図を参照にしながらさらに詳しく説明する。図２及び図３は、本発明のロジックフローチャートである。一旦、モバイル機器がCELL＿DCH状態下でセルアップデート状態を初期化すれば（工程５０）、本発明が提供する工程は、T３１４及びT３１５の二つのタイマーの記憶値（T３１４＝T３１５＝０）をチェックすることにより（工程５２）、T３１４及びT３１５がまだ作動していない（not running）かどうかを知ることができる。
【００１５】
T３１４＝T３１５＝０の条件が成立する場合、モバイル機器は、全無線リソースを解放しアイドルモードに進む（工程５４）。続いて、工程５８中で、一つのタイマーだけが作動しているかをチェックする。そうなら、本工程は作動中のタイマーを第一タイマーに指定し、作動していないタイマーを第二タイマーに指定する（工程５９ａ）。一方、どちらのタイマーも作動している場合、工程は、無作為に一つのタイマーを第一タイマーに指定し、もう一つを第二タイマーに指定する（工程５９ｂ）。
【００１６】
一つのタイマーだけが作動する状況下で、工程６０において、更に、第二タイマーがRABのいずれかと関連するかをチェックする。もし関連しなければ、モバイル機器は工程６４に進む。第二タイマーが少なくとも一つのRABと関連する場合、モバイル機器は、第二タイマーと関連する全RABを解放する（工程６２）。その後、工程６４において、更に、RABのいずれかと第一タイマーが関連するかをチェックする。もし、関連していれば、第一タイマーを起動後、工程６６、７４を離れる。もちろん、いずれのRABと第一タイマーが関連していない場合、RRC接続が存在する時だけに使用するタイマー（つまり、信号無線ベアラーのみが構築される）が、第二タイマーであるかどうかをチェックし（工程６８）、もし、そうでなければ、第一タイマーを起動する（工程７２）。そうであれば、工程は、第一タイマーを起動するか、或いは、全無線リソースを解放して、アイドルモードに進む（工程７０）。
【００１７】
工程５９ｂを参照すると、この時、二つのタイマーはどちらも作動しており、例えば、T３１４＞０とT３１５＞０、その後、工程７６に進み、この時、モバイル機器は、無作為に一つのタイマーを第一タイマーに指定し、もう一つを第二タイマーに指定する。工程７６中、モバイル機器はいずれのRABと第一タイマーが関連しているかをチェックし、関連していれば、第一タイマーを起動する（工程７８）。
【００１８】
工程７８の後、工程８０に進む。工程８０において、モバイル機器はいずれのRABと第二タイマーが関連しているかをチェックし、関連していれば、第二タイマーを起動すると共に、工程８２、８６を離れる。他方、第二タイマーがいずれのRABとも関連していない場合、モバイル機器はRRC接続にのみ使用されるタイマーだけを起動して、工程８４、８６を離れる。
【００１９】
本発明は、公知技術によりカバーされる状況をカバーし、同時に、公知技術により未定義の、或いは定義が不明瞭の状況もカバーする。例えば、まず、タイマーT３１４の記憶値がゼロより大きく（T３１４＞０）、関連するRABが構築されない場合、及びタイマーT３１５の記憶値がゼロと等しく（T３１５＝０）、少なくとも一つの関連するRABが構築される場合、図２及び図３の新しい工程にしたがって、図２の工程５８の状況は肯定になり、工程６０に進む。T３１５がRABと関連するため、モバイル機器は、工程６２において、T３１５が関連する全RABを全て解放すると共に、第一タイマーを起動する（工程６４、６６）。
【００２０】
次に、T３１５＞０、且つ関連するRABが構築されない場合、及びT３１４＝０で、少なくとも一つの関連するRABが構築される時、図２及び図３に従い、工程５８中で、第一タイマーT３１５＞０と第二タイマーT３１４＝０であるため、工程６０において、第二タイマーがいずれのRABと関連しているかをチェックする。第二タイマーT３１４は関連する、既に構築されたRABを有するので、工程６２に進み、第二タイマーT３１４と関連する全RABを解放し（工程６２）、工程６４に進む。この時、工程は、いずれのRABと第一タイマーT３１５が関連しているかをチェックし（工程６４）、この状況はそうでないので、更に、RRC接続が存在する時だけに使用するタイマーが第二タイマーT３１４（つまり、その値がゼロ）かチェックする。もし、そうでない場合、第一タイマーT３１５を起動する（工程７２）。そうである場合、第一タイマーT３１５を起動するか、或いは、全無線ベアラーを解放すると共に、直接アイドルモードに進むかの、どちらかである。
【００２１】
最後に、T３１５＞０、且つ、関連するRABが構築されない場合、及びT３１４＝０、且つ関連するRABが構築されない場合、本発明の工程は、同様に、未定義の状態に、はっきりした方策を提供する。工程５８の後、第一タイマーT３１５＞０と第二タイマーT３１４＝０であるので、工程６０中、第二タイマーがいずれのRABと関連しているかをチェックする。第二タイマーT３１４に関連して構築されたRABがないので、工程６４に進む。この時、工程はいずれのRABと第一タイマーが関連しているかをチェックし（工程６４）、この状況は関連しないので、RRC接続が存在する時だけに使用するタイマーが第二タイマーT３１４（つまり、その値がゼロ）かチェックする。もし、そうでない場合、第一タイマーT３１５を起動する（工程７２）。そうである場合、第一タイマーT３１５を起動するか、或いは、全無線ベアラーを解放すると共に、直接アイドルモードに進む（工程７０）。
【図面の簡単な説明】
【図１】URA＿PCH、CELL＿PCH、CELL＿FACH状態時、モバイル機器のUTRA  RRC接続モード下のセル再選択工程を示す図である。
【図２】CELL＿DCH状態下で、モバイル機器がどのようにセルアップデート手続きを初期化するかを示す簡易ロジックフローチャートである。
【図３】同じく、モバイル機器がどのようにセルアップデート手続きを初期化するかを示すロジックフローチャートである。
【図１】
0004077759.tif 000002
【図２】
0004077759.tif 000003
【図３】
0004077759.tif 000004